(57)【要約】      （修正有）【課題】ハッチカバーの使い勝手と基本能力を向上させることができるハッチカバー装置を提供する。【解決手段】ハッチカバー装置１Ａは、床７に配置された複数のハッチ２と、複数のハッチにそれぞれ支持されて開いたときにハッチの外側位置かつ床に対して水平位置に停止する複数のハッチカバー３と、を備える。複数のハッチは、第１のハッチカバーにより閉じられた第１のハッチの隣に配置された第２のハッチを閉じる第２のハッチカバーが開いて水平に停止したときに第２のハッチカバーが第１のハッチカバー及び第１のハッチに接触しない間隔で配置されている。ハッチカバーが開いて水平に停止したときにハッチカバーが渡り廊下となって全開のハッチカバーが設置されたハッチから隣のハッチに渡ることができる。【選択図】図３
0003219902.tif 000002
【実用新案登録請求の範囲】
【請求項１】
床に配置された複数のハッチと、
少なくとも成人男性１人分の平均体重を支えることが可能な剛性を有して前記複数のハッチにそれぞれ支持されていると共に、開いたときに前記ハッチの外側位置かつ前記床に対して水平位置に停止する複数のハッチカバーと、
を備えており、
前記複数のハッチは、第１の前記ハッチカバーにより閉じられた第１の前記ハッチの隣に配置された第２の前記ハッチを閉じる第２の前記ハッチカバーが開いて水平に停止したときに前記第２のハッチカバーが前記第１のハッチカバー及び前記第１のハッチに接触しない間隔で配置されている
ことを特徴とするハッチカバー装置。
【請求項２】
前記ハッチカバーは、左ドア及び右ドアにより構成されており、
前記複数のハッチは、前記第２のハッチカバーを構成する第２の前記左ドア又は第２の前記右ドアが開いて水平に停止したときに、開いた前記第２の左ドア又は前記第２の右ドアが前記第１のハッチカバー及び前記第１のハッチに接触しない間隔で配置されている
ことを特徴とする請求項１に記載のハッチカバー装置。
【請求項３】
前記左ドア及び前記右ドアは、左右方向の同方向となる幅方向のそれぞれの外端に回転軸をそれぞれ有しており、
前記左ドア及び前記右ドアにおける前記幅方向の長さは、同じであり、
前記複数のハッチは、前記左ドア及び前記右ドアにおける前記幅方向の長さと同等の間隔で配置されている
ことを特徴とする請求項２に記載のハッチカバー装置。
【請求項４】
前記左ドア及び前記右ドアは、左右方向と同じ幅方向のそれぞれの内端に位置すると共に前記左ドア及び前記右ドアが閉じられたときに相対する相対面と、前記相対面にそれぞれ配置されており前記左ドア及び前記右ドアが全閉したときに互いに接触する緩衝部と、を有しており、
前記緩衝部は、前記幅方向におけるその内部に中空部を有する
ことを特徴とする請求項２または請求項３に記載のハッチカバー装置。
【請求項５】
前記左ドア及び前記右ドアは、左右方向と同じ幅方向のそれぞれの内端に位置すると共に前記左ドア及び前記右ドアが閉じられたときに相対する相対面と、前記相対面にそれぞれ配置されており前記左ドア及び前記右ドアが全閉したときに相対する前記相対面に接触する緩衝部と、を有しており、
前記左ドア及び前記右ドアのそれぞれの前記相対面は、互いに平行かつ傾斜している
ことを特徴とする請求項３に記載のハッチカバー装置。
【考案の詳細な説明】
【技術分野】
【０００１】
本考案は、大型漁船の船倉等の貨物領域の上方に設けられるハッチカバー装置に関する。
【背景技術】
【０００２】
従来のハッチカバー装置は、漁船内に設けられた複数のハッチと、ハッチをそれぞれ覆う複数のハッチカバーと、ハッチカバーを開閉する開閉装置と、備える。
【先行技術文献】
【特許文献】
【０００３】
【特許文献１】特開平９−３０９４８６号公報
【考案の概要】
【考案が解決しようとする課題】
【０００４】
しかしながら、従来のハッチカバー装置においては、開放したハッチカバーに使用用途がなかったため、開放したハッチカバーが漁船乗務員の移動時や海産物の捕獲作業時に妨げになることがあるという問題があった。
【０００５】
また、従来のハッチカバー装置においては、ハッチカバーの基本性能の一つである密着度について種々の改善の余地があるという問題があった。
【０００６】
そこで、本考案はこれらの点に鑑みてなされたものであり、ハッチカバーの使い勝手と基本能力を向上させることができるハッチカバー装置を提供することを本考案の目的としている。
【課題を解決するための手段】
【０００７】
（１）前述した目的を達成するため、本考案のハッチカバー装置は、床に配置された複数のハッチと、少なくとも成人男性１人分の平均体重を支えることが可能な剛性を有して前記複数のハッチにそれぞれ支持されていると共に、開いたときに前記ハッチの外側位置かつ前記床に対して水平位置に停止する複数のハッチカバーと、を備えており、前記複数のハッチは、第１の前記ハッチカバーにより閉じられた第１の前記ハッチの隣に配置された第２の前記ハッチを閉じる第２の前記ハッチカバーが開いて水平に停止したときに前記第２のハッチカバーが前記第１のハッチカバー及び前記第１のハッチに接触しない間隔で配置されている、ことを特徴とする。
【０００８】
本考案のハッチカバー装置によれば、ハッチカバーが開いて水平に停止したときにそのハッチカバーが渡り廊下となって全開のハッチカバーが設置されたハッチから隣のハッチに渡ることができる。また、本考案のハッチカバー装置によれば、第２のハッチカバーが開いて水平に停止したときにハッチカバーがハッチの作業台となることができる。
【０００９】
（２）また、本考案のハッチカバー装置において、前記ハッチカバーは、左ドア及び右ドアにより構成されており、前記複数のハッチは、前記第２のハッチカバーを構成する第２の前記左ドア又は第２の前記右ドアが開いて水平に停止したときに、開いた前記第２の左ドア又は前記第２の右ドアが前記第１のハッチカバー及び前記第１のハッチに接触しない間隔で配置されている、ことが好ましい。
【００１０】
本考案のハッチカバー装置によれば、ハッチカバーが開いて水平に停止したときにハッチカバーが渡り廊下となってそのハッチカバーが取り付けられたハッチの両隣に位置する各ハッチに渡ることができる。
【００１１】
（３）また、本考案のハッチカバー装置において、前記左ドア及び前記右ドアは、左右方向の同方向となる幅方向のそれぞれの外端に回転軸をそれぞれ有しており、前記左ドア及び前記右ドアにおける前記幅方向の長さは、同じであり、
【００１２】
前記複数のハッチは、前記左ドア及び前記右ドアにおける前記幅方向の長さと同等の間隔で配置されている、ことが好ましい。
【００１３】
本考案のハッチカバー装置によれば、ハッチカバーが両開き戸（観音開き扉）であってもハッチカバーが開いて水平に停止したときにハッチカバーが渡り廊下となってそのハッチカバーが取り付けられたハッチの両隣に位置する各ハッチに渡ることができる。
【００１４】
（４）また、本考案のハッチカバー装置において、前記左ドア及び前記右ドアは、左右方向と同じ幅方向のそれぞれの内端に位置すると共に前記左ドア及び前記右ドアが閉じられたときに相対する相対面と、前記相対面にそれぞれ配置されており前記左ドア及び前記右ドアが全閉したときに互いに接触する緩衝部と、を有しており、前記緩衝部は、前記幅方向におけるその内部に中空部を有する、ことが好ましい。
【００１５】
本考案のハッチカバー装置によれば、ハッチカバーが閉じる間際において左ドア及び右ドアの相対距離が変化しても、緩衝部が密閉を確保しつつ、緩衝部の中空部が相対距離の変化を調整することができる。
【００１６】
（５）また、本考案のハッチカバー装置において、前記左ドア及び前記右ドアは、左右方向と同じ幅方向のそれぞれの内端に位置すると共に前記左ドア及び前記右ドアが閉じられたときに相対する相対面と、前記相対面にそれぞれ配置されており前記左ドア及び前記右ドアが全閉したときに相対する前記相対面に接触する緩衝部と、を有しており、前記左ドア及び前記右ドアのそれぞれの前記相対面は、互いに平行かつ傾斜している、ことが好ましい。
【００１７】
本考案のハッチカバー装置によれば、相対面が傾斜しているので、相対面と緩衝部との接触面積を大きくなり、緩衝部による密封度を向上させることができる。
【考案の効果】
【００１８】
本考案のハッチカバー装置によれば、開放したハッチカバーを渡り廊下や作業台として使用することができると共にハッチカバーの密封度が向上するので、ハッチカバーの使い勝手と基本能力を向上させることができるという効果を奏する。
【図面の簡単な説明】
【００１９】
【図１】図１は、第１実施形態のハッチカバー装置が設置された船舶を示す斜視図である。
【図２】図２は、第１実施形態のハッチカバー装置のハッチカバーが閉じた状態を示す断面図である。
【図３】図３は、第１実施形態のハッチカバー装置のハッチカバーが開いた状態を示す断面図である。
【図４】図４は、第２実施形態のハッチカバー装置のハッチカバーが閉じた状態を示す断面図である。
【考案を実施するための形態】
【００２０】
以下、本考案のハッチカバー装置の実施形態を説明する。
【００２１】
［第１実施形態のハッチカバー装置１Ａ］
第１実施形態のハッチカバー装置１Ａは、図１に示すように、複数のハッチ２と、複数のハッチカバー３と、を備える。各実施形態のハッチカバー装置１Ａは、漁船などの貨物船舶だけでなく、複数のハッチ２及び複数のハッチカバー３を備える全てのものに対して第１実施形態のハッチカバー装置１Ａを適用することができる。
【００２２】
［ハッチ２］
ハッチ２とは、漁船における船倉の甲板や貨物自動車における箱状荷室の天井など、所定の領域（例：船倉、箱状荷室）の上方に配置された床７（例：甲板、荷室天井）に設けられる開口部である。
【００２３】
ハッチ２の形状は、矩形や円形など種々の形状を採用することができる。ハッチ２の形状は各実施形態のハッチカバー装置１Ａの効果の有無に影響を及ぼさない。各実施形態のハッチカバー装置１Ａの説明を容易にするために、各実施形態のハッチ２の形状は矩形とする。
【００２４】
ハッチ２は、図２に示すように、所定の領域の上方に配置された床７に複数配置されている。ハッチ２の配置パターンは、列状配置、格子状配置、放射線状配置など種々の配置パターンを採用することができる。ハッチ２の配置パターンは各実施形態のハッチカバー装置１Ａの効果の有無に影響を及ぼさない。各実施形態のハッチカバー装置１Ａの説明を容易にするために、各実施形態のハッチ２の配置パターンは格子状配置とする。
【００２５】
［ハッチカバー３３］
ハッチカバー３とは、ハッチ２を覆う蓋や扉などのハッチ開閉部材である。このハッチカバー３は、スチール・ハッチカバー３のように少なくとも成人男性１人分の平均体重を支えることが可能な剛性を有している。剛性の基準値を「成人男性１人分の平均体重を支えることが可能な程度」としたのは、成人女性よりも平均体重が重い成人男性の作業者がハッチカバー３に乗ってもハッチカバー３が破損しないようにするためである。出願時にて、成人男性における２０〜８０歳の年代別平均体重は少なくとも６０ｋｇ台である。そのため、ハッチカバー３は、７０ｋｇ以上の体重を支えることが可能な剛性を有していることが好ましい。
【００２６】
また、ハッチカバー３は複数個設置されており、それらが複数のハッチ２にそれぞれ支持されている。ハッチカバー３の構造としては、片開き戸、両開き戸、片引き戸、両引き戸、片折れ戸、両折れ戸その他の扉の構造と類似している。ハッチカバー３は、一枚構造であってもよいし、複数枚構造であってもよい。
【００２７】
第１実施形態のハッチカバー３の構造としては、片開き戸又は両開き戸と類似する構造になっている。そして、図３に示すように、ハッチカバー３が開いたとき、当該ハッチカバー３がハッチ２の外側位置かつ上記した床７に対して水平位置に停止する。
【００２８】
ハッチカバー３は、左ドア３Ｌ及び右ドア３Ｒにより構成されていることが好ましい。右及び左の決定方法としては、ハッチカバー３の開閉方向を幅方向とし、その幅方向における一方向又は他方向を右又は左とする。また、
【００２９】
左ドア３Ｌ及び右ドア３Ｒの構造としては、両開き戸、両引き戸、両折れ戸その他の両扉の構造と類似している。第１実施形態の左ドア３Ｌ及び右ドア３Ｒの構造としては、両開き戸と類似する構造になっている。左ドア３Ｌ及び右ドア３Ｒは、一枚構造であってもよいし、複数枚構造であってもよい。
【００３０】
また、第１実施形態のハッチカバー３が両開き戸と類似する構造である場合、このハッチカバー３は、回転軸６と、相対面４と、緩衝部５と、を有している。
【００３１】
［回転軸６］
回転軸６は、左ドア３Ｌ及び右ドア３Ｒにおける幅方向のそれぞれの外端にそれぞれ設けられている。この回転軸６は、左ドア３Ｌ及び右ドア３Ｒが両開き戸のように開閉可能となるような一般的な技術により構成されている。
【００３２】
［相対面４］
相対面４は、左ドア３Ｌ及び右ドア３Ｒにおける左右方向と同じ幅方向のそれぞれの内端に位置する。すなわち、相対面４は、左ドア３Ｌ及び右ドア３Ｒにおいて回転軸６と反対側に位置する。そのため、左ドア３Ｌの相対面４Ｌ及び右ドア３Ｒの相対面４Ｒは、左ドア３Ｌ及び右ドア３Ｒが閉じられたときに相対する。密閉度を上げるため、これらの相対面４は、互いに平行になっている。第１実施形態において、相対面４の傾斜角度の違いはハッチカバー装置１Ａの効果に影響を及ぼさない。第１実施形態のハッチカバー装置１Ａの説明を容易にするために、第１実施形態の相対面４の傾斜角度を決める相対面４の法線方向は幅方向と同じである。
【００３３】
［緩衝部５］
緩衝部５は、左ドア３Ｌの相対面４Ｌ及び右ドア３Ｒの相対面４Ｒにそれぞれ配置されている。また、これらの緩衝部５は、左ドア３Ｌ及び右ドア３Ｒが全閉したときに互いに接触する位置にそれぞれ設置されている。
【００３４】
第１実施形態において、緩衝部５は幅方向におけるその内部に中空部を有することが好ましい。この緩衝部５は、中空部を有していることを条件に、どのような形状でも採用可能である。第１実施形態の緩衝部５は、幅方向と直交する長さ方向に延在しており相対面４側が平坦に加工された略円筒状に形成されている。
【００３５】
［ハッチ２とハッチカバー３との関係］
ハッチ２とハッチカバー３との関係を説明する。複数のハッチ２のうちの第１のハッチ２及び第２のハッチ２は、隣り合う位置に設置されている。また、第１のハッチカバー３は第１のハッチ２に設置されており、第２のハッチカバー３は第２のハッチ２に設置されている。他のハッチカバー３と同様、第１のハッチカバー３及び第２のハッチカバー３も開閉時に開いたときに水平状態で停止する。また、第２のハッチカバー３は第２の左ドア３Ｌ又は第２の右ドア３Ｒにより構成されている。
【００３６】
ここで、複数のハッチ２は、第２のハッチ２から開いて水平に停止した第２のハッチカバー３が第１のハッチカバー３第１のハッチに接触しない間隔で配置されている。また、ハッチカバー３がドア及び右ドア３Ｒにより構成されている場合、複数のハッチ２は、第２のハッチ２から開いて水平に停止した第２の左ドア３Ｌ又は第２の右ドア３Ｒが第１のハッチカバー３及び第１のハッチ２に接触しない間隔で配置されている。
【００３７】
ここで、上記において、複数のハッチ２の間隔が「水平に開いて停止したハッチカバー３又は左ドア３Ｌ若しくは右ドア３Ｒの幅方向の長さ」ではなく、「水平に開いて停止したハッチカバー３又は左ドア３Ｌ若しくは右ドア３Ｒが隣のハッチカバー３及びハッチ２に接触しない間隔」と記載した理由は、ハッチカバー３又は左ドア３Ｌ若しくは右ドア３Ｒの開閉方法が、上記したハッチカバー３又は左ドア３Ｌ若しくは右ドア３Ｒの外端に設置された回転軸６がハッチ２の枠上に設けられた通常の開き戸方法だけでなく、その回転軸６がハッチ２の内部に位置するスライド開き戸方法も含んでおり、その場合に「水平に開いて停止したハッチカバー３又は左ドア３Ｌ若しくは右ドア３Ｒの幅方向の長さ」よりも複数のハッチ２の間隔が短くなるからである。
【００３８】
ただし、第１実施形態のように、回転軸６が左ドア３Ｌの外端及び右ドア３Ｒの外端にそれぞれ設置されており、それらの左ドア３Ｌ及び右ドア３Ｒにおける幅方向の長さが同じである場合、ハッチカバー３の開閉方法が通常の両開き戸方法に類似する開閉方法である。そのため、複数のハッチの間隔は、左ドア３Ｌ及び右ドア３Ｒにおける幅方向の長さと同等であって、かつ、隣のハッチカバー３及びハッチ２に接触しない間隔になる。
【００３９】
［第２実施形態のハッチカバー装置１］
第１実施形態のハッチカバー装置１Ａと第２実施形態のハッチカバー装置１Ｂとの相違点は、相対面４及び緩衝部５である。残りの構成について、第１実施形態のハッチカバー装置１Ａと第２実施形態のハッチカバー装置１Ｂとは共通する。
【００４０】
［相対面４］
第１実施形態の相対面４と第２実施形態の相対面４との相違点は、相対面４の傾斜角である。図４に示すように、第２実施形態の左ドア３Ｌの相対面４及び右ドア３Ｒの相対面４Ｒは、互いに平行かつ傾斜している。
【００４１】
［緩衝部５］
第１実施形態の緩衝部５と第２実施形態の緩衝部５との相違点は、緩衝部５の配置である。緩衝部５は、第２実施形態の左ドア３Ｌの相対面４Ｌ及び右ドア３Ｒの相対面４Ｒにそれぞれ配置されている。そして、左ドア３Ｌ及び右ドア３Ｒが全閉したとき、左ドア３Ｌの緩衝部５Ｌは右ドア３Ｒの相対面４Ｒに、かつ、右ドア３Ｒの緩衝部５Ｒは左ドア３Ｌの相対面４Ｌに接触する。つまり、緩衝部５は、それに相対する相対面４に接触する。
【００４２】
［効果］
次に、本実施形態のハッチカバー装置１の効果を説明する。
【００４３】
（１）前述した目的を達成するため、本実施形態のハッチカバー装置１は、床７に配置された複数のハッチ２と、少なくとも成人男性１人分の平均体重を支えることが可能な剛性を有して複数のハッチ２にそれぞれ支持されていると共に、開いたときにハッチ２の外側位置かつ床７に対して水平位置に停止する複数のハッチカバー３と、を備えており、複数のハッチ２は、第１のハッチカバー３により閉じられた第１のハッチ２の隣に配置された第２のハッチ２を閉じる第２のハッチカバー３が開いて水平に停止したときに第２のハッチカバー３が第１のハッチカバー３及び第１のハッチ２に接触しない間隔で配置されている、ことを特徴とする。
【００４４】
本実施形態のハッチカバー装置１によれば、ハッチカバー３が開いて水平に停止したときにそのハッチカバー３が渡り廊下となって全開のハッチカバー３が設置されたハッチから隣のハッチ２に渡ることができる。また、本実施形態のハッチカバー装置１によれば、第２のハッチカバー３が開いて水平に停止したときにハッチカバー３がハッチ２の作業台となることができる。
【００４５】
（２）また、本実施形態のハッチカバー装置１において、ハッチカバー３は、左ドア３Ｌ及び右ドア３Ｒにより構成されており、複数のハッチ２は、第２のハッチカバー３を構成する第２の左ドア３Ｌ又は第２の右ドア３Ｒが開いて水平に停止したときに、開いた第２の左ドア３Ｌ又は第２の右ドア３Ｒが第１のハッチカバー３及び第１のハッチ２に接触しない間隔で配置されている、ことが好ましい。
【００４６】
本実施形態のハッチカバー装置１によれば、ハッチカバー３が開いて水平に停止したときにハッチカバー３が渡り廊下となってそのハッチカバー３が取り付けられたハッチ２の両隣に位置する各ハッチ２に渡ることができる。
【００４７】
（３）また、本実施形態のハッチカバー装置１において、左ドア３Ｌ及び右ドア３Ｒは、左右方向の同方向となる幅方向のそれぞれの外端に回転軸６をそれぞれ有しており、左ドア３Ｌ及び右ドア３Ｒにおける幅方向の長さは、同じであり、
【００４８】
複数のハッチ２は、左ドア３Ｌ及び右ドア３Ｒにおける幅方向の長さと同等の間隔で配置されている、ことが好ましい。
【００４９】
本実施形態のハッチカバー装置１によれば、ハッチカバー３が両開き戸（観音開き扉）であってもハッチカバー３が開いて水平に停止したときにハッチカバー３が渡り廊下となってそのハッチカバー３が取り付けられたハッチの両隣に位置する各ハッチ２に渡ることができる。
【００５０】
（４）また、本実施形態のハッチカバー装置１において、左ドア３Ｌ及び右ドア３Ｒは、左右方向と同じ幅方向のそれぞれの内端に位置すると共に左ドア３Ｌ及び右ドア３Ｒが閉じられたときに相対する相対面４と、相対面４にそれぞれ配置されており左ドア３Ｌ及び右ドア３Ｒが全閉したときに互いに接触する緩衝部５と、を有しており、緩衝部５は、幅方向におけるその内部に中空部を有する、ことが好ましい。
【００５１】
本実施形態のハッチカバー装置１によれば、ハッチカバー３が閉じる間際において左ドア３Ｌ及び右ドア３Ｒの相対距離が変化しても、緩衝部５が密閉を確保しつつ、緩衝部５の中空部が相対距離の変化を調整することができる。
【００５２】
（５）また、本実施形態のハッチカバー装置１において、左ドア３Ｌ及び右ドア３Ｒは、左右方向と同じ幅方向のそれぞれの内端に位置すると共に左ドア３Ｌ及び右ドア３Ｒが閉じられたときに相対する相対面４と、相対面４にそれぞれ配置されており左ドア３Ｌ及び右ドア３Ｒが全閉したときに相対する相対面４に接触する緩衝部５と、を有しており、左ドア３Ｌ及び右ドア３Ｒのそれぞれの相対面４は、互いに平行かつ傾斜している、ことが好ましい。
【００５３】
本実施形態のハッチカバー装置１によれば、相対面４が傾斜しているので、相対面４と緩衝部５との接触面積を大きくなり、緩衝部５による密封度を向上させることができる。
【００５４】
すなわち、本実施形態のハッチカバー装置１によれば、開放したハッチカバー３を渡り廊下や作業台として使用することができると共にハッチカバー３の密封度が向上するので、ハッチカバー３の使い勝手と基本能力を向上させることができるという効果を奏する。
【００５５】
なお、本考案は、前述した実施形態などに限定されるものではなく、必要に応じて種々の変更が可能である。
【符号の説明】
【００５６】
１Ａ、１Ｂ  ハッチカバー装置
２  ハッチ
３、３Ｌ、３Ｒ  ハッチカバー
４、４Ｌ、４Ｒ  相対面
５、５Ｌ、５Ｒ  緩衝部
６  回転軸
７  床
【図１】
0003219902.tif 000003
【図２】
0003219902.tif 000004
【図３】
0003219902.tif 000005
【図４】
0003219902.tif 000006